(57)【要約】  生育を向上させることができる種子の発芽方法、植物の栽培方法及び種子を提供することを目的とする。本発明の一態様に係る種子の発芽方法は、種子を電気伝導率５０μＳ／ｃｍ以下の水に接触させる工程を含む。また、本発明の種子の発芽方法により発芽した種子を用いて植物を栽培する、植物の栽培方法。本発明の種子の発芽方法及び植物の栽培方法は、種子がイネ科の種子である場合に有効であり、種子が水稲の種籾である場合により有効である。
2019225606.tif 000002
【特許請求の範囲】
【請求項１】
種子を電気伝導率５０μＳ／ｃｍ以下の水に接触させる工程を含むことを特徴とする種子の発芽方法。
【請求項２】
請求項１記載の種子の発芽方法により発芽した種子を用いて植物を栽培する、植物の栽培方法。
【請求項３】
前記発芽した種子を、電気伝導率が５０μＳ／ｃｍより大きい水を用いて育苗する、請求項２に記載の植物の栽培方法。
【請求項４】
前記種子がイネ科の種子である、請求項２又は３記載の植物の栽培方法。
【請求項５】
前記種子が水稲の種籾である、請求項４記載の植物の栽培方法。
【請求項６】
電気伝導率５０μＳ／ｃｍ以下の水に接触させた種子。
【請求項７】
発芽している請求項６記載の種子。
【請求項８】
イネ科の種子である、請求項６又は７に記載の種子。
【請求項９】
水稲の種籾である、請求項６〜８のいずれか一項に記載の種子。
【請求項１０】
麦の種子である、請求項６〜８のいずれか一項に記載の種子。
【請求項１１】
種子を電気伝導率５０μＳ／ｃｍ以下の水に接触させる工程を含むことを特徴とする種子の製造方法。
【請求項１２】
前記植物が定植用の苗である、請求項２記載の植物の栽培方法。
【請求項１３】
前記定植用の苗を定植する、請求項１２記載の植物の栽培方法。
【請求項１４】
請求項２記載の植物の栽培方法により栽培された植物を収穫する植物の収穫方法。
【請求項１５】
請求項１３記載の植物の栽培方法により定植された定植用の苗を生育し、生育した植物を収穫する植物の収穫方法。
【請求項１６】
請求項６又は７記載の種子を播種し、植物を栽培する植物の栽培方法。
【請求項１７】
請求項６又は７記載の種子を播種し、栽培された植物を収穫する植物の収穫方法。
【請求項１８】
平均整粒全長５．３ｍｍ以上、且つ平均心白率８８％以上の米。
【請求項１９】
請求項２記載の植物の栽培方法により栽培された植物を台木として接ぎ木苗を作製する、接ぎ木苗の作製方法。
【発明の詳細な説明】
【技術分野】
【０００１】
本発明は、種子の発芽方法、植物の栽培方法、種子及び種子の製造方法、並びに米に関する。
【背景技術】
【０００２】
稲等の様々な植物の栽培において、品質や収量を改善するための様々な工夫が行われている。例えば、一般に米どころは軟水地域が多く、稲の育成には軟水が有効であるとされている。しかし、軟水地域以外では、水稲栽培において軟水を供給し続けることは困難である。米作りには、種籾の準備、育苗、土壌作り、田植え、稲の育成、刈取りの各段階があり、よりおいしく、強く、収量の多い米作りのため、各々の段階において様々な工夫が行われている。【０００３】
水稲の収量は「穂数」、「一穂籾数」、「登熟歩合」、「千粒重」の4つの収量構成要素から成り立ち、「収量」=「穂数」×「一穂籾数」×「登熟歩合」×「千粒重」の関係がある。計算式上は4つの収量構成要素のいずれかが向上すれば収量が増える。しかし、実際には「一穂籾数」を多くすれば「登熟歩合」や「千粒重」が減少する、といったようにそれぞれの収量構成要素が関係し合っている。また、いずれかの収量構成要素が増えても、稲自身が倒伏すると逆に収量が減少するおそれがある。【０００４】
例えば、海水の希釈液を利用し、マグネシウムイオン濃度と塩化物イオン濃度を特定の範囲に制御した水を用いて水稲栽培を行うことで、稲の倒伏を抑制する方法が提案されている（特許文献１）。しかし、水稲栽培の期間は長く、栽培中の水質を長期間にわたって制御し続けるにはコストがかかり、作業負担も大きい。【０００５】
育苗前の種籾の準備期においては、塩水選により良質な種籾を選別し、消毒により種籾についている病原菌を取り除いた後、浸種により発芽に必要な水分を種籾に吸わせ、催芽により発芽状態を揃えつつ発芽させる。浸種においては、河川水や池水ではなく、水道水や井戸水等のきれいな水を使用することが推奨されている（非特許文献１、２）。しかし、浸種に水道水や井戸水を用いるだけでは、生育を良くし、品質や収量を向上させる効果は不十分である。
【先行技術文献】
【特許文献】
【０００６】
【特許文献１】日本国公開特許公報「特開２０１５−１９２５９９号公報」
【非特許文献】
【０００７】
【非特許文献１】“おいしい米づくり情報Ｎｏ．１”、［ｏｎｌｉｎｅ］、平成２３年３月２４日発行、南魚沼市ＮＯＳＡＩ魚沼ＪＡ魚沼みなみ、［平成２９年５月１日検索］、インターネット＜URL=http://ja-uonuma.sakura.ne.jp/shidou/kome23_04.pdf＞
【非特許文献２】“農林分野  安全で豊かな食と農を支える調査研究育苗期その２”、［ｏｎｌｉｎｅ］、地方独立行政法人大阪府立環境農林水産総合研究所、［平成２９年５月１日検索］、インターネット＜URL:http://www.kannousuiken-osaka.or.jp/nourin/gijutsu/techinfo/tebiki/basic/02.html＞
【発明の概要】
【発明が解決しようとする課題】
【０００８】
本発明は、栽培中の植物の生育を向上させることができる種子の発芽方法、植物の栽培方法及び種子を提供することを目的とする。
【課題を解決するための手段】
【０００９】
本発明は、以下の構成を有する。
［１］種子を電気伝導率５０μＳ／ｃｍ以下の水に接触させる工程を含むことを特徴とする種子の発芽方法。
［２］［１］記載の種子の発芽方法により発芽した種子を用いて植物を栽培する、植物の栽培方法。
［３］前記発芽した種子を、電気伝導率が５０μＳ／ｃｍより大きい水を用いて育苗する、［２］に記載の植物の栽培方法。
［４］前記種子がイネ科の種子である、［３］記載の植物の栽培方法。
［５］前記種子が水稲の種籾である、［４］記載の植物の栽培方法。
［６］電気伝導率５０μＳ／ｃｍ以下の水に接触させた種子。
［７］発芽している［６］記載の種子。
［８］イネ科の種子である、［６］又は［７］に記載の種子。
［９］水稲の種籾である、［６］〜［８］のいずれかに記載の種子。
［１０］麦の種子である、［６］〜［８］のいずれかに記載の種子。前記麦は、二条大麦、六条大麦、はだか麦等の大麦、小麦、えん麦、ライ麦である。
［１１］種子を電気伝導率５０μＳ／ｃｍ以下の水に接触させる工程を含むことを特徴とする種子の製造方法。
［１２］前記植物が定植用の苗である、［２］記載の植物の栽培方法。
［１３］前記定植用の苗を定植する、［１２］記載の植物の栽培方法。
［１４］［２］記載の植物の栽培方法により栽培された植物を収穫する植物の収穫方法。
［１５］［１３］記載の植物の栽培方法により定植された定植用の苗を生育し、生育した植物を収穫する植物の収穫方法。
［１６］［６］又は［７］記載の種子を播種し、植物を栽培する植物の栽培方法。
［１７］［６］又は［７］記載の種子を播種し、栽培された植物を収穫する植物の収穫方法。
［１８］平均整粒全長５．３ｍｍ以上、且つ平均心白率８８％以上の米。
［１９］［２］記載の植物の栽培方法により栽培された植物を台木として接ぎ木苗を作製する、接ぎ木苗の作製方法。
【発明の効果】
【００１０】
本発明の種子の発芽方法、植物の栽培方法及び種子によれば、栽培中の植物の生育を向上させることができる。
【図面の簡単な説明】
【００１１】
【図１】実施例及び比較例における苗の平均分げつ数を示したグラフである。
【図２】実施例及び比較例における種籾の子葉鞘の平均長さを示したグラフである。
【図３】実施例及び比較例における種籾の子葉鞘の平均長さを示したグラフである。
【図４】実施例及び比較例における苗の根を観察した結果を示す図である。
【図５】実施例及び比較例における苗の根の長さを示したグラフである。
【発明を実施するための形態】
【００１２】
［実施形態１］
［種子の発芽方法］
本発明の種子の発芽方法に用いる種子は、特に限定されず、例えば、イネ科、ナス科、ウリ科、キク科、アブラナ科、セリ科、バラ科、アオイ科、マメ科、アカザ科、ユリ科、サトイモ科、ヒルガオ科、ショウガ科、シソ科、ヒユ科、ヤシ科、ナデシコ科、リンドウ科、アヤメ科、ムラサキ科、ラン科、ツリフネソウ科等の植物の種子が挙げられる。本発明の種子の発芽方法は、イネ科の特に水稲の種籾や麦の発芽に有効である。麦としては、二条大麦、六条大麦、はだか麦等の大麦、小麦、えん麦、ライ麦が挙げられる。
【００１３】
また、本発明の種子の発芽方法に用いる種子は、ナス科、ウリ科、キク科、アブラナ科、セリ科、バラ科、アオイ科、マメ科、アカザ科、ユリ科、ヒルガオ科、ショウガ科、シソ科、ヒユ科、ヤシ科、ナデシコ科、リンドウ科、アヤメ科、ムラサキ科、ラン科、ツリフネソウ科等の種子も挙げられる。これらの植物は植物工場での栽培に向いている。本発明は植物工場での栽培に適用してもよい。本発明を植物工場での栽培に適用する場合、栽培期間が短い、ヒユ科、アブラナ科、セリ科、シソ科、キク科などの発芽に有効である。これらの品種の植物としては、例えば、ホウレンソウ、レタス、コマツナ、サラダナ、ミズナ、ルッコラ、コリアンダー、ビート、シュンギク、ハクサイ、チンゲンサイなどがある。また、本発明による根の生育効果を享受する観点からは、根菜類に適用することが好ましい。
【００１４】
また、本発明に用いられる種子は、葉菜、果菜、花卉などが好ましい。特に、栽培期間の短い葉菜類が、本発明の効果を享受しやすいため、好ましい。葉菜類の植物としては、例えば、ホウレンソウ、レタス、コマツナ、サラダナ、ミズナ、ルッコラ、コリアンダー、ビート、シュンギク、ハクサイ、チンゲンサイなどがある。
【００１５】
本発明の種子の発芽方法では、種子に電気伝導率５０μＳ／ｃｍ以下の水を接触させて発芽させる。発芽させる際に種子に接触させる水の電気伝導率を５０μＳ／ｃｍ以下にすることで、発芽後の植物の生長がより良好となる。また、発芽も促される。例えば、発芽後の苗の草丈、茎径が大きくなるなど、苗を大きく成長させることができる。また、苗の根量、根長を増やすことができるので、根がしっかり張った苗を作製することができる。また、発芽をより早期に行わせることができるので、育苗期間を短縮させることができる。このように、本発明によれば植物の生育を向上させ、植物栽培の生産性を向上させることができる。
【００１６】
種子に電気伝導率５０μＳ／ｃｍ以下の水を接触させることにより、種子が電気伝導率５０μＳ／ｃｍ以下の水を吸収し、種子に電気伝導率５０μＳ／ｃｍ以下の水を含ませることができる。電気伝導率５０μＳ／ｃｍ以下の接触方法としては、特に限定されず、種子を電気伝導率５０μＳ／ｃｍ以下の水に浸す方法、種子に電気伝導率５０μＳ／ｃｍ以下の水をかける方法、種子を電気伝導率５０μＳ／ｃｍ以下の水を含む含水媒体と接触させる方法等が挙げられる。
【００１７】
種子に接触させる水の電気伝導率は５０μＳ／ｃｍ以下であればよく、２０μＳ／ｃｍ以下であることがより好ましく、１５μＳ／ｃｍ以下であることがさらに好ましく、１０μＳ／ｃｍ以下であることが特に好ましく、１μＳ／ｃｍ以下であることが最も好ましい。また、水の電気伝導率の測定方法としては、電極方式および電磁誘導方式が挙げられる。
【００１８】
電気伝導率５０μＳ／ｃｍ以下の水としては、特に限定されず、例えば、逆浸透膜（ＲＯ膜）、電気透析膜、ＮＦ膜（ナノろ過膜）、ゼオライト膜等の濾過膜を用いた濾過水、イオン交換樹脂処理水、蒸留水、また、これらの組合せによる処理水等が挙げられる。なかでも、ＲＯ膜による濾過水、イオン交換樹脂処理水が好適である。
【００１９】
電気伝導率５０μＳ／ｃｍ以下の水を製造する際に用いる原水としては、特に限定されず、水道水、井戸水等の地下水、湧水、河川水、農業用水等の表流水等が挙げられる。これらの原水をそのまま、浄水器等に供して電気伝導度率を５０μＳ／ｃｍ以下にしたものを用いればよい。
【００２０】
本発明の種子の発芽方法においては、種子を電気伝導率５０μＳ／ｃｍ以下の水に接触させた後、発芽するまで該種子を電気伝導率５０μＳ／ｃｍ以下の水と接触させておくことが好ましく、発芽するまで種子を電気伝導率５０μＳ／ｃｍ以下の水に浸しておくことがより好ましい。これにより、本発明の効果がより効果的に得られる。
【００２１】
種子の発芽過程は、吸水の観点から一般的に（１）第１期（Ａ相：吸水期）、（２）第２期（Ｂ相：発芽準備期）、及び（３）第３期（Ｃ相：生長期）に分けられ得る。（１）第１期（吸水期）は、主として物理的に種子が吸水をする時期である。（２）第２期（Ｂ相：発芽準備期）は、吸水増加は停滞するが、発芽のための実質的な物質代謝が進行する発芽準備期である。第２期はさらに前半（Ｂ１相）及び後半（Ｂ２相）の２相に分けられ得る。前半（Ｂ１相）は、胚の生長を規制する代謝系が関与する時期である。後半（Ｂ２相）は炭水化物代謝がもっぱら行なわれる時期であり、当該相が完了すると発芽が起こる。（３）第３期（Ｃ相：生長期）は、発芽後、幼芽と幼根が活発に生長する時期である。（参照文献：”図説：東北の稲作と冷害”、［ｏｎｌｉｎｅ］、国立研究開発法人農業・食品産業技術総合研究機構、［令和１年５月２１日検索］、インターネット＜URL:http://www.reigai.affrc.go.jp/zusetu/saiga.html＞）
【００２２】
本明細書中において、「種子を電気伝導率５０μＳ／ｃｍ以下の水に接触させる工程」（本明細書における接触工程）とは、発芽過程の第１期（Ａ相：吸水期）が始まってから、発芽過程の第２期（Ｂ相：発芽準備期）が完了する直前（発芽の起こる直前）までに、種子に電気伝導率５０μＳ／ｃｍ以下の水を接触させる工程である。なお、第２期（Ｂ相：発芽準備期）に到達する前に、種子の中に電気伝導率５０μＳ／ｃｍを超える水分が存在していても、その後、第２期（Ｂ相：発芽準備期）に到達する前に、種子に電気伝導率５０μＳ／ｃｍ以下の水を接触させれば、本発明の効果を奏する。或いは、第２期（Ｂ相：発芽準備期）に到達する前に、種子に電気伝導率５０μＳ／ｃｍ以下の水を接触させた後に種子を乾かしても、その後、第２期（Ｂ相：発芽準備期）に到達する前に、種子に電気伝導率５０μＳ／ｃｍ以下の水を接触させれば、本発明の効果を奏する。また、接触後、種子表面の付着物質の溶出等により、接触させている水が電気伝導率５０μＳ／ｃｍを超えることもあるが、接触開始時に用いる水が電気伝導率５０μＳ／ｃｍ以下であれば良く、接触後は、電気伝導率５０μＳ／ｃｍを超えても本発明の効果を奏する。電気伝導率５０μＳ／ｃｍ以下の水を接触させた後は、電気伝導率５０μＳ／ｃｍを超える水を接触させてもよい。
【００２３】
なお、上記接触工程は、好ましくは、発芽過程の第１期（Ａ相：吸水期）が始まってから、Ｂ１相の期間が終わるまでに、種子に電気伝導率５０μＳ／ｃｍ以下の水を接触させる工程をいう。より好ましくは、発芽過程の第１期（Ａ相：吸水期）が始まってから、第１期（Ａ相：吸水期）の終わるまでに、種子に電気伝導率５０μＳ／ｃｍ以下の水を接触させる工程をいう。さらに好ましくは、第１期（吸水期）の初めから種子に電気伝導率５０μＳ／ｃｍ以下の水を接触させる工程をいう。
【００２４】
種子は通常、病原菌による発病リスク低減のため、発芽工程以前に種子消毒を行う。本発明においても発芽工程以前に種子消毒工程を行なってもよい。種子を消毒する方法としては、特に限定されず、薬液に浸漬する方法、薬剤を粉衣又は吹き付ける方法、温湯消毒法、冷水温湯浸法、風呂湯浸法、乾熱法等、公知の方法を採用することができる。薬剤としては植物種に応じて公知の種子消毒用の薬剤を用いることができる。種子消毒を行うことにより、種子伝染性の病害等が発生することを抑制することができる。一方、前年度の罹病種子のリスクが低い等、病原菌による発病リスクが低いと判断できる場合は種子消毒を行わない方が良い。種子消毒を行わないことにより省力化を達成でき、また、特に薬液・薬剤を使用する場合は消毒後の廃棄処理が問題となるが、その問題もクリアすることができる。種子消毒の方法として、温湯消毒法、冷水温湯浸法、風呂湯浸法や、薬液浸漬において水を使用するが、温湯消毒法、冷水温湯浸法、風呂湯浸法に使用する水や、薬剤の希釈水として、電気伝導率５０μＳ／ｃｍ以下の水を使用すると、より良い。消毒水の使用、温湯消毒、冷水温湯浸法、風呂湯浸法等、種子を消毒水や湯に浸漬した場合、消毒工程からそのまま連続して発芽工程の浸漬へ移行しても良い。
【００２５】
以下、本発明の種子の発芽方法の一例を、水稲の種籾を発芽させる場合を例に説明する。種籾を発芽させる場合、電気伝導率５０μＳ／ｃｍ以下の水を種籾に充分に含ませた状態で発芽させやすい点から、電気伝導率５０μＳ／ｃｍ以下の水を用いて浸種を行うことが好ましい。なお、種籾を床土に播き、該床土に電気伝導率５０μＳ／ｃｍ以下の水をかけることにより、種子に電気伝導率５０μＳ／ｃｍ以下の水を接触させてもよい。また、木材パルプ系、ロックウール系、もみがら系等の土以外の媒体に電気伝導率５０μＳ／ｃｍ以下の水を含ませ、その含水媒体と種籾とを接触させてもよい。
【００２６】
この例の種籾の発芽方法は、下記の工程（ａ）〜（ｄ）を有する。
（ａ）塩水選により種籾を選別する。
（ｂ）選別された種籾を消毒する。
（ｃ）消毒後の種籾に対して電気伝導率５０μＳ／ｃｍ以下の水により浸種を行う。
（ｄ）浸種を行った種籾に対して催芽を行って発芽させる。
【００２７】
（工程（ａ））
塩水選により、比重を利用して中身の充実した種籾を選別する。具体的には、塩水に種籾を入れ、塩水中に浮かんだ種籾を捨て、塩水中に沈んだ種籾を採取する。塩水選においては、種籾が抱き込んだ気泡を取り除きやすい点から、種籾を入れた塩水を攪拌することが好ましい。塩水選により採取した種籾は、水でよく洗うことが好ましい。
【００２８】
（工程（ｂ））
塩水選により選別された種籾を種子消毒する。これにより、種子伝染性の病害が発生することを抑制することができる。種籾を消毒する方法としては、特に限定されず、公知の方法を採用することができる。消毒後、種籾は風乾することが好ましい。これにより、種籾の消毒効果が高まる。
【００２９】
（工程（ｃ））
消毒後の種籾を電気伝導率５０μＳ／ｃｍ以下の水に浸漬し、浸種を行う。浸種は、電気伝導率５０μＳ／ｃｍ以下の水を用いる以外は公知の態様を採用することができる。
【００３０】
浸種は、水の温度をＴ（℃）、浸種の積算時間をＤ（日）としたとき、Ｔ×Ｄ≧１００の条件を満たすように行うことが好ましい。これにより、種籾をより安定して発芽させることができる。
【００３１】
浸種中の水の温度Ｔは、１０〜１５℃が好ましい。浸種中の水の温度Ｔが前記範囲の下限値以上であれば、種籾をより安定して発芽させることができる。浸種中の水の温度Ｔが前記範囲の上限値以下であれば、細菌性病害が発生したり、種籾が死んでしまったりすることを抑制しやすい。
【００３２】
浸種において水を取り換える場合、取り換える前後の水の電気伝導率は５０μＳ／ｃｍ以下であれば、同じであってもよく、異なっていてもよい。
【００３３】
（工程（ｄ））
浸種を行った後、催芽により、発芽状態を揃えつつ種籾を発芽させる。催芽は公知の方法を利用することができる。一斉に発芽を促す観点から、例えば、温度２０℃〜３５℃、好ましくは３０℃で１日〜２日かけて発芽させることが好ましい。種籾の発芽状態は、ハトムネ状とすることが好ましい。
【００３４】
催芽には、電気伝導率５０μＳ／ｃｍ以下の水を使用してもよく、電気伝導率が５０μＳ／ｃｍより大きい水を使用してもよい。つまり、種子に電気伝導率５０μＳ／ｃｍ以下の水を接触後、種子表面の付着物質の溶出等により、接触させている水が電気伝導率５０μＳ／ｃｍを超えることもあるが、その水をそのまま催芽に用いてもよい。
【００３５】
作業性に優れる点から、浸種に用いた電気伝導率５０μＳ／ｃｍ以下の水をそのまま使用して催芽を行うことが好ましい。
【００３６】
催芽における水の温度は、２８〜３４℃が好ましく、３０〜３２℃がより好ましい。催芽における水の温度が前記範囲の下限値以上であれば、種籾の発芽効率が高くなる。催芽における水の温度が前記範囲の上限値以下であれば、細菌性病害が発生したり、種籾が死んでしまったりすることを抑制しやすい。
【００３７】
以上説明したように、本発明の種子の発芽方法においては、種子に電気伝導率５０μＳ／ｃｍ以下の水を接触させて発芽させる。これにより、発芽後の植物の生長が向上する。
【００３８】
例えば本発明により種籾を発芽させて水稲を栽培した場合、１粒あたりの籾が大きくなり、１穂あたりの籾数が増加する。また、稲穂の稈径が太くなるため、籾のサイズ及び籾数が向上しても稲穂の倒伏が抑制される。これらのことから、籾の収量が向上する。
【００３９】
また、種子に電気伝導率５０μＳ／ｃｍ以下の水を接触させて発芽させることにより、種子の発芽が促される。
【００４０】
［植物の栽培方法］
本発明の植物の栽培方法は、本発明の種子の発芽方法により発芽させた種子を用いて植物を栽培する方法である。本発明の植物の栽培方法は、本発明の種子の発芽方法により発芽させた種子を用いる以外は、植物の種類に応じて公知の栽培方法を採用することができる。本発明の植物の栽培方法は、水田、畑、果樹園等の圃場での水稲栽培や野菜、果物等の栽培の他、工場等の施設内での水耕栽培等にも適用することができる。本発明の栽培方法は、本発明の発芽方法により発芽させたイネ科の種子、特に水稲の種籾や麦を用いた栽培に有効である。
【００４１】
例えば、稲の栽培の場合の一例としては、以下の方法が挙げられる。育苗箱に床土を収容して潅水した後、本発明の発芽方法により発芽させた種籾を均一に播種し、播かれた種籾が充分に隠れるように覆土を行う。充分に苗が生長するまで育苗し、生長した苗を水田に植えて稲を栽培する。定植（田植え）できる状態まで充分に苗が生長するまで育苗することが好ましい。その後、育苗した苗を田んぼ（圃場）に定植して栽培することが好ましい。
【００４２】
例えば、発芽後の育苗等、発芽後の植物の栽培に用いる水としては、電気伝導率５０μＳ／ｃｍ以下の水を用いてもよく、電気伝導率が５０μＳ／ｃｍより大きい水を用いてもよい。例えば、前記発芽した種子を、電気伝導率が５０μＳ／ｃｍより大きい水を用いて育苗してもよい。栽培に用いる水の入手が容易な点から、電気伝導率が５０μＳ／ｃｍより大きい水を用いることが好ましい。また、このとき用いる水は上述した原水をそのまま用いてもよく、苗以降の生育を向上させるための養分を含有させた養液を用いてもよい。
【００４３】
以上説明した本発明の植物の栽培方法によれば、本発明の種子の発芽方法により発芽させた種子を用いるため、発芽後の植物の生長が向上する。また、種子を発芽させる際に用いる水の電気伝導率５０μＳ／ｃｍ以下に制御するだけで、それ以降の水の電気伝導率は５０μＳ／ｃｍより大きくてもよいため、作業負担が小さく、コスト面でも有利である。従って、発芽させるときには電気伝導率が５０μＳ／ｃｍ以下の水を用いることで、生育を向上させて、その後の育苗、さらには育苗以降の行程を電気伝導率が５０μＳ／ｃｍより大きい水を用いることで、作業効率よく、有利なコストで、好適に植物を栽培することができる。
【００４４】
種子の発芽方法の他の例としては、種籾の籾殻を取り除いた玄米、さらには玄米の表層部をさらに取り除いてから水を接触させた後、催芽を行って発芽させる方法などが挙げられる。籾殻を取り除いてから、又は玄米の表層部を取り除いてから水を接触させることで、種子に水が接触し易くなるため、発芽が促される。
【００４５】
なお、玄米の表層部を取り除くとは、表層部全体を取り除くことに加えて、表層部の一部に穴を空ける、一部を傷付ける、一部を削る等、表層部の一部に加工を施すことも含むものとする。
【００４６】
種籾の籾殻を取り除く際は、外エイ部と内エイ部のいずれかを取り除いてもよく、また外エイ部と内エイ部の両方を取り除いてもよい。籾殻を取り除いた種籾に接触させる水は、電気伝導率５０μＳ／ｃｍ以下の水が好ましい。なお、電気伝導率が５０μＳ／ｃｍより大きい水を、籾殻を取り除いた種籾に接触させてもよい。
【００４７】
玄米の表層部を取り除く際は、外側の果皮部のみを取り除いてもよく、果皮部とその内側の種皮部の両方を取り除いてもよい。
【００４８】
表層部を取り除いた玄米に接触させる水は、電気伝導率５０μＳ／ｃｍ以下の水が好ましい。なお、電気伝導率が５０μＳ／ｃｍより大きい水を、表層部を取り除いた玄米に接触させてもよい。
【００４９】
籾殻を取り除いた種籾を用いる方法は、籾殻を取り除いた種籾を用いること、及び、接触させる水が電気伝導率５０μＳ／ｃｍ以下の水でも電気伝導率が５０μＳ／ｃｍより大きい水でもよいこと以外は、上記した本発明の発芽方法と同様の態様とすることができる。
【００５０】
表層部を取り除いた玄米を用いる方法は、表層部を取り除いた玄米を用いること、及び、接触させる水が電気伝導率５０μＳ／ｃｍ以下の水でも電気伝導率が５０μＳ／ｃｍより大きい水でもよいこと以外は、上記した本発明の発芽方法と同様の態様とすることができる。
【００５１】
種籾の籾殻を取り除いた玄米を例としたが、米以外の穀物、例えば、大麦の外皮や、小麦の表皮を取り除いた種子を用いてもよい。
【００５２】
種子の発芽方法の他の例としては、種子及び水に圧力をかけながら浸種し、催芽を行って発芽させる方法も挙げられる。浸種の際に全体に圧力をかけることにより、種子に対する水の接触度合が高められ、種子内部に水が浸透しやすくなるため、発芽が促される。
【００５３】
浸種の際にかける圧力は、適宜設定することができる。圧力をかけながら種子に接触させる水は、電気伝導率５０μＳ／ｃｍ以下の水が好ましい。なお、電気伝導率が５０μＳ／ｃｍより大きい水を種子に接触させてもよい。
【００５４】
圧力をかけながら浸種する方法は、浸種の際に圧力をかけること、及び、接触させる水が電気伝導率５０μＳ／ｃｍ以下の水でも電気伝導率が５０μＳ／ｃｍより大きい水でもよいこと以外は、上記した本発明の発芽方法と同様の態様とすることができる。
【００５５】
さらに、籾殻や表層部を取り除いた玄米を浸種させる際に、種子及び水に圧力をかけながら浸種してもよい。
【００５６】
以上のように、本発明は、電気伝導率５０μＳ／ｃｍ以下の水に種子を接触させる工程を含む発芽工程を含む栽培を経て、植物を成育させて、収穫する方法を包含する。本発明によれば植物の生育を向上させ、例えば、葉もの、結実する植物などの植物の生産性を向上させることができる。
【００５７】
［種子の製造方法］
種子を電気伝導率５０μＳ／ｃｍ以下の水に接触させる工程を含む種子の製造方法も本発明の範疇である。種子を電気伝導率５０μＳ／ｃｍ以下の水に接触させる工程については、本発明に係る種子の発芽方法の説明に準じ、説明を繰り返さない。本発明の製造方法で得られた種子は、電気伝導率が５０μＳ／ｃｍより大きい水、例えば、上述した原水をそのまま用いて生育させても、発芽させる際に電気伝導率５０μＳ／ｃｍより大きい水で発芽させた種子を用いるより生育が良好である。つまり、本発明の製造方法により、生育用に適した種子を得ることができる。
【００５８】
［実施形態２］
本発明の他の実施形態について、以下に説明する。なお、本実施形態では実施形態１と異なる点について主に説明し、実施形態１にて説明した内容については、その説明を繰り返さない。
【００５９】
[種子の発芽方法]
本実施形態では、耕作地に直播きする種子に対して、直播きする前に、電気伝導率５０μＳ／ｃｍ以下の水を接触させる。その後、直播きして耕作地において当該種子は発芽する。電気伝導率５０μＳ／ｃｍ以下の水に接触させた種子で発芽前のものを直播きしてもよく、発芽した種子を直播きしてもよい。種子が電気伝導率５０μＳ／ｃｍ以下の水に接触しているので、生育が良好である。よって、本実施形態によれば、耕作地に直播きする種子を用いる場合において、良好な生育を実現できる。
【００６０】
電気伝導率５０μＳ／ｃｍ以下の水を接触させる前に種子を消毒してもよい。種子を消毒する方法としては、例えば、薬液に浸漬する方法、薬剤を粉衣又は吹き付ける方法、温湯消毒法、冷水温湯浸法、風呂湯浸法、乾熱法等、公知の方法を採用することができる。
【００６１】
[植物の栽培方法]
本実施形態において、種子は、畑（路地耕作地）等の耕作地に直接播種（直播き）することが好ましい。植物としては、例えば小麦、野菜等が挙げられる。
【００６２】
[植物の収穫方法]
本実施形態に係る植物の収穫方法は、本発明の種子の発芽方法により発芽させた種子を用いて栽培された植物を収穫する方法である。植物を収穫する方法としては、特に限定されず、公知の方法を採用することができる。
【００６３】
［実施形態３］
本発明の他の実施形態について、以下に説明する。なお、上述した各実施形態にて説明した内容については、その説明を繰り返さない。
【００６４】
[植物の栽培方法]
本実施形態に係る植物の栽培方法は、本発明の種子の発芽方法により発芽させた種子を用いて定植用の苗を栽培する方法である。種子が電気伝導率５０μＳ／ｃｍ以下の水に接触しているので、定植用の苗の生育が良好である。種子は、苗ポッド等の苗床に播種して育苗することが好ましい。
【００６５】
本実施形態に係る植物の栽培方法では、定植用の苗を定植することが好ましい。定植用の苗は、培地に移植して栽培することが好ましい。培地としては、例えば畑等の耕作地、植物工場等の栽培用培地等が挙げられる。植物としては、例えば野菜等が挙げられる。
【００６６】
[植物の収穫方法]
本実施形態に係る植物の収穫方法は、定植した定植用の苗を生育し、生育した植物を収穫する方法である。植物を収穫する方法としては、特に限定されず、公知の方法を採用することができる。
【００６７】
［作物］
本発明の各方法によって得られる作物も本発明の範疇である。例えば、種子が水稲の種籾である形態においては、得られる米も本発明の範疇である。本発明の各方法によれば、種子が水稲の種籾である形態において、例えば、平均整粒全長５．３ｍｍ以上、且つ平均心白率８８％以上の米を好適に得ることができる。
【００６８】
［接ぎ木苗］
本発明は、上述した各方法により栽培された植物を台木として接ぎ木苗を作製する、接ぎ木苗の作製方法、及び当該接ぎ木苗の作製方法により作製された接ぎ木苗を包含する。当該接ぎ木苗の作製方法は、接ぎ木苗を利用する果菜類に好適に用いることができる。果菜類としては、例えば、メロン、スイカ、キュウリ等のウリ類、トマト、ナス、ピーマン等が挙げられる。例えば、病虫害に強い品種の台木に、美味しい実を多く付ける品種の穂木を繋ぎ合わせることにより、病虫害に強い上に、美味しい実を多く付ける接ぎ木苗を作製することができる。上述した各方法により栽培された植物は、根量が多いため、当該植物を台木とすることにより、より強い接ぎ木苗を作製することができる。
【実施例】
【００６９】
以下、実施例によって本発明を具体的に説明するが、本発明は以下の記載によっては限定されない。【００７０】
［電気伝導率の測定方法］
水の電気伝導率は、電極方式の卓上型水質計（東亜ディーケーケー株式会社製）により測定した。【００７１】
［実施例１］
種籾としては、コシヒカリ米の種籾を使用した。種籾を種子消毒した後に風乾し、電気伝導率２μＳ／ｃｍ以下（２５℃）の水を用いて浸種を行った。浸種においては、４８Ｌの水に２８ｋｇの種籾を浸した。浸種における水温は１０℃〜１５℃に保ち、水を入れ替える際も全て電気伝導率２μＳ／ｃｍ以下を使用した。浸種期間は１０日間とした。浸種後、水温を３０℃まで上昇させて催芽を行い発芽させた。発芽した種籾を育苗箱内の床土に播種し、覆土して育苗し、充分に生長した苗を屋外の水田に植えて栽培し、成熟した稲を刈り取った。栽培時は、農業用水から引いた電気伝導率７７μＳ／ｃｍの水を利用した。【００７２】
収穫した稲穂の平均稈長、平均稈径、１穂あたりの平均籾数、及び籾の平均長さを表１に示す。なお、平均稈長、平均稈径、１穂あたりの平均籾数については、無作為に選択した１０本の稲穂について計測した値の平均とした。また、無作為に選択した１０粒の籾の最長径の平均値を籾の平均長さとした。また、表１には、一般的なコシヒカリ米における稲穂の平均稈長、平均稈径、１穂あたりの平均籾数、及び籾の平均長さも示した。【００７３】
また、稲穂が直立している状態を０、完全倒伏している状態を４とし、傾斜角度を均等に区分することにより稲穂の倒伏程度を評価した。
【表１】
2019225606.tif 000003
【００７４】
表１に示すように、電気伝導率５０μＳ／ｃｍ以下の水を用いて種籾を発芽させた実施例１では、一般的なコシヒカリ米に比べて、生育が良く、収穫された籾が大きく、平均籾数が多く収量も向上した。また、稲穂の平均稈長が長く籾数が多いものの、稲穂の平均稈径が太く、倒伏程度３以上はほとんど見られなかった。【００７５】
［実施例２］
種籾としてコシヒカリ米の種籾を使用し、浸種前に種籾の種子消毒は行わず、電気伝導率２μＳ／ｃｍ以下の水を用いて浸種を行なった。浸種においては、４８Ｌの水に２８ｋｇの種籾を浸した。浸種における水温は１０℃〜１５℃に保ち、水を入れ替える際も全て電気伝導率２μＳ／ｃｍ以下の水を使用した。浸種期間は１０日間とした。浸種後、水温を３０℃まで上昇させて催芽を行い発芽させた。発芽した種籾を育苗箱内の床土に播種し、覆土して育苗した。充分に生長させた田植え前の苗を無作為に１０本採取し、草丈、茎径（最長径、最短径）を測定して平均値を求めた。結果を表２に示す。【００７６】
［比較例１］
浸種及び催芽に井戸水（電気伝導率１８４μＳ／ｃｍ）を用いた以外は実施例２と同じ条件で、浸種、催芽及び育苗を行い、田植え前の苗を無作為に１０本採取し、草丈、茎径（最長径、最短径）を測定して平均値を求めた。結果を表２に示す。
【表２】
2019225606.tif 000004
【００７７】
表２に示すように、電気伝導率５０μＳ／ｃｍ以下の水を用いて発芽させた実施例２の苗は、電気伝導率が５０μＳ／ｃｍを超える井戸水を用いて発芽させた比較例１の苗に比べて、草丈が高く、茎径も太く、生長がより良好であった。【００７８】
［実施例３］
試験培土として赤玉土／腐葉土を２／１の割合（体積比）で混ぜた養土を用意した。プラスチック製のバケツ内に試験培土を入れ、培土の表面上まで水が溜まるように水道の水（電気伝導率７１μＳ／ｃｍ）を入れて試験用の簡易水田を作製した。実施例２で育苗した苗を前記簡易水田に１本植えて栽培し、２０日後、風速１３ｍ／秒の状況下で該苗の倒伏角度を測定した。苗の倒伏角度は１５度であった。【００７９】
［比較例２］
実施例２で育苗した苗の代わりに比較例１で育苗した苗を用いた以外は実施例３と同様にして、苗を植えてから２０日後に風速１３ｍ／秒の状況下で該苗の倒伏角度を測定した。苗の倒伏角度は３３度であった。【００８０】
実施例３と比較例２を比較すると、電気伝導率５０μＳ／ｃｍ以下の水を用いて発芽させた実施例３の苗は、電気伝導度が５０を超える井戸水を用いて発芽させた比較例２の苗よりも倒伏角度が小さく、苗の生長がより良好であった。【００８１】
［実施例４］
実施例２で育苗した苗３本を１株として水田に植えて栽培した。栽培時は、農業用水から引いた電気伝導率１８４μＳ／ｃｍの水を利用した。田植えから３６日後に、それぞれ連続して植えた１０株について、各株におけるそれぞれの苗の分げつ数を計測し、平均値を算出した。結果を図１に示す。なお、苗の分げつとは、根に近い茎の関節から発生した側枝のことである。【００８２】
［比較例３］
実施例２で育苗した苗の代わりに比較例１で育苗した苗を用いた以外は、実施例４と同様にして、水田に苗を植えてから３６日後の該苗の分げつ数の平均値を求めた。結果を図１に示す。【００８３】
図１に示すように、電気伝導率５０μＳ／ｃｍ以下の水を用いて発芽させた実施例４の苗は、電気伝導率が５０μＳ／ｃｍを超える井戸水を用いて発芽させた比較例３の苗に比べて平均分げつ数が多く、苗の生長がより良好であった。【００８４】
［実施例５］
直径４０ｍｍ、高さ８０ｍｍの円筒状の容器内を電気伝導率２μＳ／ｃｍ以下の水で満たし、日本晴米の種籾を入れ、水温２８℃にて暗部で５日間静置した。静置後における発芽した種籾の子葉鞘の長さを測定した。同条件で静置した後の１０個の種籾の子葉鞘の平均長さを図２に示す。【００８５】
［比較例４］
電気伝導率５９５μＳ／ｃｍの水を用いた以外は、実施例５と同様にして、静置後の種籾の子葉鞘の平均長さを求めた。結果を図２に示す。【００８６】
図２に示すように、電気伝導率５０μＳ／ｃｍ以下の水を用いて発芽させた実施例５の種籾の子葉鞘は、電気伝導率５０μＳ／ｃｍより大きい水を用いて発芽させた比較例４の種籾の子葉鞘に比べて長く、生長がより良好であった。【００８７】
［実施例６〜９、比較例５、６］
種籾として、２９年度日本晴れを用いた。種籾１０粒と実施例６〜９、比較例５、６の各サンプル水１００ｍＬをガラスボトルに入れたものを各測定日毎に４本となるように準備した。遮光のためプラスチックケース内に１測定日分ずつ、各サンプル水がランダムな状態になるように配置して、１５℃の恒温槽に格納した。１３日で各サンプル水から種籾を取り出し、子葉鞘の長さを測定した。結果を図３に示す。なお、恒温槽に格納している時、３〜４日毎にプラスチックケースの位置を適宜変更した。また、実施例６〜９、比較例５、６の各サンプル水の電気伝導率を表３に示す。また、実施例６〜９の各サンプル水を、それぞれ純水器（三菱ケミカル・アクアソリューション社製Ｃ−１０Ｐ、濾材：ダイヤイオンＭＩＸ品）を用いて、原水（豊橋市水道水）を処理することで作製した。また、比較例５の水は豊橋市内で入手した水道水であり、比較例６の水は京丹後市内で入手した井戸水である。【００８８】
【表３】
2019225606.tif 000005
【００８９】
図３に示すように、電気伝導率５０μＳ／ｃｍ以下の水を用いて発芽させた実施例６〜９の種籾の子葉鞘は、電気伝導率５０μＳ／ｃｍより大きい水を用いて発芽させた比較例５、６の種籾の子葉鞘に比べて長く、生長がより良好であった。【００９０】
［実施例１０、比較例７］
五百万石米の種籾を種子消毒した後に風乾し、電気伝導率２μＳ／ｃｍ以下（２５℃）の水を用いて浸種を行なった。実施例６と純水器を用いて、井戸水（電気伝導率７３μＳ／ｃｍ）を用いて処理することで得た。種における水温は１０℃〜１５℃に保ち、水を入れ替える際も全て電気伝導率２μＳ／ｃｍ以下の水を使用した。浸種期間は１０日間とした。浸種後、水温を３０℃まで上昇させて催芽を行い発芽させた。発芽した種籾を育苗箱内の床土に播種し、覆土して井戸水（電気伝導率７３μＳ／ｃｍ）で育苗し、充分に生長した苗を屋外の水田に植えて栽培し、成熟した稲を刈り取った。栽培時は、農業用水から引いた水を利用した。水田へ供給した農業用水は５０μＳ／ｃｍより大きい水であった。【００９１】
比較例７として、浸種及び催芽に井戸水（電気伝導率７３μＳ／ｃｍ）を用いた以外は実施例１０と同じ条件で、浸種、催芽、育苗、定植、圃場での栽培を行った。【００９２】
評価用として、実施例１０の条件で栽培したものから１株、比較例７の条件で栽培したものから１株の、各１株を圃場に定植（田植え）して、収穫した稲穂の収量を比較した。比較した項目は、籾数、整粒の数、重さ、全長、幅、厚み、心白率、玄米の千粒重である。実施例１０の１株には１７の穂が生った。比較例７の１株には１３の穂が生った。結果を表４に示す。なお、表４に示す「平均」は、全粒計測の平均値である。整粒全長はデジタルノギスを使用して計測した。心白率は米粒透視器により計測した。
【表４】
2019225606.tif 000006
【００９３】
表４に示すように実施例１０の方が、穂数が多く、一粒当たりの大きさも大きかった。また、実施例１０の米は、平均整粒全長５．３ｍｍ以上、且つ平均心白率８８％以上であった。【００９４】
［実施例１１、比較例８］
種籾（山田錦）を、薬剤を水道水にて希釈した消毒液に２４時間浸漬して種子消毒を行ない、その後、種子を浸漬させる水を電気伝導率３μＳ／ｃｍ以下（２５℃）の水に入れ替えて浸種を行なった。実施例６と純水器を用いて水道水（電気伝導率１４２μＳ／ｃｍ）を用いて処理することで得た。種における水温は１０℃〜１５℃に保ち、水を入れ替える際も全て電気伝導率２μＳ／ｃｍ以下の水を使用した。浸種期間は１０日間とした。浸種後、水温を３０℃まで上昇させて催芽を行い発芽させた。【００９５】
比較例８として、浸種及び催芽に水道水（電気伝導率１４２μＳ／ｃｍ）を用いた以外は実施例１１と同じ条件で、浸種、催芽を行った。【００９６】
実施例１１、比較例８で得られた２０株の根について観察及び根の長さの測定を行った。結果を図４及び図５に示す。図４は苗の根を観察した結果を示す図である。実施例１１及び比較例８の苗をそれぞれ２０本束ねて撮影した結果を示す。図５は苗の根の長さを示したグラフである。図４に示すように、実施例１１の方が比較例８より根量が多くなった。具体的には、実施例１１の方が比較例８より１．２倍以上の根量であった。また、図５に示すように、実施例１１の方が比較例８より根の長さが長くなった。【００９７】
［実施例１２、比較例９］
＜種子＞
葉菜類の種子として、ホウレンソウの種子（品種名：ＮＰＬ８号（三菱ケミカルアグリドリーム株式会社））を用いた。
＜培地＞
種子の播種用培地は、微粒綿ロックウール（三菱ケミカルアグリドリーム株式会社製「バイドン」（登録商標））を使用した。【００９８】
＜播種〜発芽工程＞
２８８穴のセルトレイのそれぞれに、播種用培地を適量充填し、上記ホウレンソウの種子を５粒以上／１穴となるよう播種し、覆土した。実施例１２、比較例９のそれぞれにおいて、セルトレイ２枚ずつの計４枚となるよう、これを行った。次いで、表５に示す水を用い、ジョウロで１セルトレイあたり、１０００ｍｌとなるよう上から灌水した。【００９９】
灌水後、重ねたセルトレイに防水シートを被せ、湿度１００％、気温２２℃、暗環境下で、表５に示す各発芽工程期間（日数）静置された。なお、この発芽モジュール（重ねたセルトレイに防水シートを被せたもの）は、苗の実用生産施設内の空き空間に静置した。【０１００】
＜育苗工程＞
発芽工程期間経過後、セルトレイを苗の実用生産施設である閉鎖型育苗施設（三菱ケミカルアグリドリーム株式会社製「苗テラス」（登録商標））内の多段棚式育苗装置に移し、８日間育苗工程を行った。すなわち、育苗工程は、遮光性構造物内で人工光を用いて行った。【０１０１】
この育苗工程では、１日のうち、明環境を１２時間、暗環境を１２時間とした。遮光性構造物内の温度は、明環境時では２２℃、暗環境時では１９℃に設定した。また、遮光性構造物内のＣＯ２濃度は、明環境、暗環境いずれにおいても１０００ｐｐｍとした。育苗工程では、６００秒／１日で、電気伝導率１５００μＳ／ｃｍ（１．５ｍＳ／ｃｍ）に調製された養液を与えて灌水を行った。【０１０２】
【表５】
2019225606.tif 000007
【０１０３】
＜定植〜栽培工程＞
育苗工程で得られた実施例１２及び比較例９の各苗を同一の日時に、太陽光を利用する圃場に定植した。ここで、定植するときの最大葉長（１０個体平均）を測定し、表６に記載する。【０１０４】
当該圃場は、水耕栽培システム（三菱ケミカルアグリドリーム株式会社製「ナッパーランド」（登録商標））６を有する温室である。【０１０５】
この水耕栽培システムでは、栽培ベッドが、長手方向の一端部から他端部に向けて流水勾配を有するように約１／１００の勾配で設置されている。これにより、該栽培ベッド列の長手方向における上流から下流にかけて流水路を有する薄膜水耕機構を有するものとなる。【０１０６】
この工程では、電気伝導率３０００μＳ／ｃｍ（ＥＣ３．０ｄＳ／ｍ）（温度：２０℃、硝酸態窒素；１４ｍｅ／Ｌ、リン酸：４ｍｅ／Ｌ、カリウム：１０ｍｅ／Ｌ）に調製された養液を用いた。この養液は毎分１０リットルの流量で、植物が定植された栽培ベッドに供給した。【０１０７】
定植後１５日間を養液（電気伝導率３０００μＳ／ｃｍ）（ＥＣ３．０ｄＳ／ｍ）で栽培し、定植後１６日目に、養液を水に替えて供給して栽培し、定植後１８日目に収穫し、収穫時の最大葉長（３株平均、１株に５個体あるうちの大きい１個体を３株分みて、平均値）及び葉数（３株平均）を測定した。結果を表６に示す。【０１０８】
【表６】
2019225606.tif 000008
【０１０９】
表６の通り、発芽時の水を電気伝導率５μＳ／ｃｍとした実施例１によると、発芽工程期間を短縮しても、収穫される葉菜類の最大葉長や葉数が十分であることが分かった。すなわち、植物栽培、あるいは育苗における、発芽期間を短縮できることが示された。【０１１０】
［実施例１３］
発芽工程日数及び育苗工程日数を表７に示す通りとしたこと以外は実施例１２と同一条件で実施例１３の栽培を行った。結果を表７に示す。【０１１１】
【表７】
2019225606.tif 000009
【０１１２】
表７より、本発明方法によると、育苗工程期間を短縮しても、収穫される葉菜類の最大葉長や葉数が十分であることが分かった。すなわち、育苗期間を短縮できることが示された。【０１１３】
本発明方法によって育苗された苗は、軸が太く、根張りが良く、葉がひょろっと伸びておらず、地上部がぎゅっとしており、根がどっしりしたものであることが認められた。
【図１】
2019225606.tif 000010
【図２】
2019225606.tif 000011
【図３】
2019225606.tif 000012
【図４】
2019225606.tif 000013
【図５】
2019225606.tif 000014
【国際調査報告】
2019225606.tif 000015
2019225606.tif 000016
2019225606.tif 000017
2019225606.tif 000018
2019225606.tif 000019
2019225606.tif 000020